(57)【要約】【課題】多様な形態で使用でき、操作が容易で、安価で製造可能な書見台を提供する。【解決手段】本を支える載置板及び本の下端部をささえる保持板部と、その保持板部に設けられ、前記本の下端部を保持する頁抑えを具備し、前記載置板の傾斜角度調整が自在構造である書見台において、載置板の両側中間部に凹状部を形成し、載置板の下端部に一対の柔軟で線材の頁抑えを管状材を介して回動自在に取り付け、載置板の裏面中央部に載置板の立設を保持し、傾斜角度を調節する支持杆を受け部を介して回動自在にとりつける。【選択図】  図１
2008149109.tif 000002
【特許請求の範囲】
【請求項１】
本を支える載置板及び本の下端部を支える保持板部と、その保持板部に設けられ、前記本の下端部を保持する頁抑えを具備し、前記載置板の傾斜角度調整が自在構造である書見台において、載置板の両側中間部に凹状部を形成し、載置板の下端部に一対の柔軟で線材の頁抑えを管状材を介して回動自在に取り付け、載置板の裏面中央部に載置板の立設を保持し、傾斜角度を調節する支持杆を受け部を介して回動自在に取り付けたことを特徴とする書見台
【請求項２】
保持板部は、頁抑えと一体に、柔軟な合成樹脂板で形成したことを特徴とする請求項１記載の書見台
【請求項３】
載置板と保持板部と保持板部と一体の頁抑えと受け部を型抜きして一体に形成し、前記保持板部と保持板部と一体の頁抑えは載置板の前方に湾曲状に折り曲げて引き出し、受け部は載置板後方に直角状に折り曲げて引き出したことを特徴とする請求項１記載の書見台
【請求項４】
支持杆の先端部をテーパー形状に形成し、底板に空きびん底部を接着して取り付け、前記空きびんの口部に、前記支持杆先端部を挿通して、載置板を取り付けたことを特徴とする請求項１~３項記載のうちいずれか一項記載の書見台
【請求項５】
底板に空きびんを取り付ける方法が、先端部に吸盤を取り付けた複数のＬ字状の支え部を可動可能に底板に取り付け、各支え部の内側に立設した空きびんの側面に、前記の吸盤を吸着させて取り付けたことを特徴とする請求項４記載の書見台
【請求項６】
底板が、柔軟な合成樹脂板を型抜きして複数の支え部を形成し、底板と支え部が一体であることを特徴とする請求項５記載の書見台
【請求項７】
載置板が、受け部に対して回動自在に取り付けていることを特徴とする請求項４~６項記載のうちいずれか一項記載の書見台
【請求項８】
上下方向に複数の載置板を、着脱自在に組合せて形成したことを特徴とする請求項１~７項記載のうちいずれか一項記載の書見台
【請求項９】
載置板の両側に、外周に複数の凸部を形成した補助板を回動自在に設けたことを特徴とする請求項１~７記載のうちいずれか一項記載の書見台
【発明の詳細な説明】
【技術分野】
【０００１】
本発明は、書見台の改良に関し、多様な状態で使用可能にしたものである。
【背景技術】
【０００２】
書見台は、読書する場合に本を手で持たずに読書ができるようにしたものである。また書見台を利用しての読書に際しては、紙面が視線に対して直角に近く保持すると眼の疲労が少なく且視力の減退を防止でき、且楽な姿勢で読書できるので長時間の読書でも疲労を減少することができる。そのため載置板の傾斜角度を調整可能にした種々の形式のものが提案されてきた。また、従来の書見台の問題点は見開いた頁を手を使わずに保持する頁抑えを如何に行うかという点にある。簡単な方法として、載置板下部前方に起立縁を設けたり起立縁にバネを付勢した頁抑えを設けたものが知られている。また、載置板の上下又は左右からクリツプを具備したアームを延ばして開いた頁の余白を抑える方法も知られている。また透明部材で頁抑えを形成するというものも多数知られている。また載置板の上下に弾性紐状部材を備えて頁を抑えるようにしたものも公知である。更に書見台を座位、仰臥等多様な姿勢で使用可能なものも各種知られている。
【発明の開示】
【発明が解決しようとする課題】
【０００３】
以上述べた従来の書見台では、前記した書見台の利点である、両手が自由になり眼の疲労、視力の減退防止ができ、更に座位はもとより仰臥でも使用可能なものが提案されているにも係わらず一般に広く普及しないのは操作性に問題があり、且構造が複雑になり高価になるという問題点があつた。
【０００４】
また、従来の書見台に薄い本、小さな本、軽い本を載置板に載置した場合、落ち着きが悪く載置板上での安定が不十分であつた。仰臥で使用する場合は、本が落下しないように注意する必要があつた。
【０００５】
操作性について述べれば、頁の上下にゴム紐を配設したゴム紐式のものは、製造コストを低減できるが、頁捲りの際には手間がかかる。まず、片側の頁を捲るには、一方の手で片側のゴム紐を持ち上げて、他方の手で頁を捲らなければならない。さらに反対側の頁の上に重ねる際にも、反対側のゴム紐を持ち上げて、捲った頁をゴム紐の下を通して、重ねなければならない。また、透明部材で形成した頁抑えは両手を使う手間はかからないが、構造が複雑になりコスト高になる。
【０００６】
従来の書見台は読書時に使用できるような構造としているが、書見台で新聞を読んだり、自宅での学習時に学習効果向上に役立てたり、楽器演奏時に片手で扱える譜面台として使用可能なものが要望されているが未だ知られていない。
【０００７】
また、従来の書見台で座位でも仰臥でも使用可能なものはあるが、あらゆる座位、仰臥、例えば、テーブル、机に向かって椅子での座位、ソファー椅子での座位、床での座位、仰臥でも上向きで寝ながら、横向きで寝ながら等あらゆる態様でも使用可能なものも未だ知られていない。
【０００８】
本発明は、このような従来の構成が有していた問題と要望を解決しようとするものであり、本を載置板に固定可能で本の厚薄大小に係わらず安定的に載置でき、簡単な構造で載置板の傾斜角度を調整自在で、簡単な構造で頁抑え、頁捲り、頁収めができ、簡単な操作で多様な座位や多様な仰臥で使用でき、且両手を使用せずとも新聞を読め、楽器を弾く場合、楽譜を片手で頁捲りと頁収め可能で操作性が容易で、且安価な輪ゴムや使用済みの空きびんを活用して低コストで製造可能な書見台を実現することを目的とするものである。
【課題を解決するための手段】
【０００９】
そして、本発明は上記目的を達成するために、請求項１のものは、本を支える載置板及び本の下端部を支える保持板部と、その保持板部に設けられ、前記本の下端部を保持する頁抑えを具備し、前記載置板の傾斜角度調整が自在構造である書見台において、載置板の両側中間部に凹状部を形成し、載置板の下端部に一対の柔軟な線材の頁抑えを管状材を介して回動自在に取り付け、載置板の裏面中央部に載置板の立設を保持し、傾斜角度を調節する支持杆を、受け部を介して回動自在に取り付けたことを特徴とするものである。
【００１０】
載置板の両側部に形成した凹状部は、本の大小に係わらず本の表紙と載置板をクリツプで固定可能としたもので、Ｕ字状、Ｖ字状、半円形状としてもよい。また、載置板の全体の形状を台形状、逆台形状としてもよく、凹状部又は側部と版サイズの異なる本の表紙が必ず重なるように載置板を形成するとよい。
【００１１】
柔軟な線材の頁抑えは、鉄線、アルミ線、真鍮線が使用できるが、使用する本の厚薄により自在に形成可能な柔軟性と頁の捲り上がりを抑える強度を合わせ持つため、１．５ミリ~２ミリの安価な鉄線が効果的である。また、頁抑えは、載置板に保持板部を設け、その保持板部に取り付けることができるが、管状材を介して取り付けることで構造を簡略にして製造コストを低減できる。管状材は市販されている安価な量産品のスペーサーを活用することもできる。
【００１２】
支持杆は、受け部と回動自在に取り付けて載置板の傾斜角度を調整自在としているが、重い本を載置した場合、その重量で傾斜角度が変わらないよう、受け部と支持杆の取り付けは、２箇所でビスとナツトで締め付けるとよい。その場合、角度調整の度に一方のビスとナツトを外さなくとも済むように、受け部両側に半円形状の取付溝を形成し、ビスが溝部を通って支持杆と共に回動するようにするとよい。
【００１３】
本発明の請求項２のものは、保持板部は、頁抑えと一体に柔軟な合成樹脂板で形成し、受け部を載置板に回動自在に取り付けたことを特徴とするものである。
【００１４】
保持板部に本の下端部を載せることができるよう、板状のものを手で湾曲状に形成するとよい。厚めの本を使用する場合は、保持板部の各窪みに輪ゴムを掛けて引張し、載置板と頁抑え間を大にして使用するとよい。
【００１５】
本発明の請求項３のものは、載置板と保持板部と保持板部と一体の頁抑えと受け部を型抜きして一体に形成し、前記保持板部と頁抑えと一体の保持板部は、載置板の前方に湾曲状に折り曲げて引き出して形成し、受け部は載置板後方に直角状に折り曲げて引き出して形成したことを特徴とするものである。
【００１６】
載置板は型抜き加工可能なように柔軟な合成樹脂板や金属板にするとよい。合成樹脂板として各種のものが使用できるが、低発泡ポリエチレンが加工性、曲げ強度、価格性が優れ好適である。
【００１７】
載置板下部の中央側に頁抑えと一体の保持板部を設け、載置板の側部側に保持板部を設けているので、サイズの大なる本の場合、本の下端部を４点で支え、載置板上に本を安定的に載置することができる。
【００１８】
本発明の請求項４のものは、支持杆の先端部をテーパー形状に形成し、底板に空きびん底部を接着して取り付け、前記空きびんの口部に、前記支持杆先端部を挿通して、載置板を取り付けたことを特徴とするものである。
【００１９】
支持杆先端部をテーパー形状に形成すると、酒、焼酎、ワイン、ウイスキーびん等の口部内径に違いがあつても、大多数のびんに取り付けることができる。また、底板を木材にしてガラス、木材両方に接着可能な接着剤で固着するとよい。
【００２０】
本発明の請求項５のものは、底板に空きびんを取り付ける方法が、先端部に吸盤を取り付けた複数のＬ字状の支え部を可動可能に底板に取り付け、各支え部の内側に立設した空きびんの側面に、前記の吸盤を吸着させて取り付けたことを特徴とするものである。
【００２１】
支え部の先端部に取付孔を穿設して、吸盤の突起部を嵌入させて吸盤を取り付けるとよい。また、Ｌ字状の支え部の取付部に溝孔を形成し、その溝孔を通して木ネジで底板に取り付けると、木ネジを緩めて可動可能にできる。側面に吸盤を吸着した空きびんは、支え部の溝孔を通して木ネジで底板に螺着するので、空きびんの外径の大小にかかわらず、底板に取り付けることができる。
【００２２】
本発明の請求項６のものは、底板が、柔軟な合成樹脂板を型抜きして複数の支え部を形成し、底板と支え部が一体であることを特徴とするものである。
【００２３】
底板と支え部が柔軟な合成樹脂板で一体に形成しているので、支え部の曲折箇所を変えれば、空きびんの外径の大小に係わらず、空きびんは支え部を介して底板に取り付けることができる。
【００２４】
本発明の請求項７のものは、載置板が、受け部に対して回動自在に取り付けていることを特徴とするものである。
【００２５】
載置板と受け部を２箇所でビスと蝶ナツトで取り付けた、その取付けの一方が、載置板に形成した一部分の円形状の取付溝を通して取り付けているので、載置板を回動させる場合、２箇所の蝶ナツトを緩めるだけで、容易に行うことができる。                        
【００２６】
本発明の請求項８のものは、上下方向に複数の載置板を着脱自在に組合せて形成したことを特徴とするものである。
【００２７】
本発明の請求項９のものは、載置板の両側に、外周に複数の凸部を形成した補助板を回動自在に設けたことを特徴とするものである。
【００２８】
上記課題解決手段による作用は次ぎの通りである。すなわち、載置板に載置した本は、その表紙と載置板の凹状部又は側部をクリツプで留めることができ、載置板上で本の落ち着きを安定にし、左右上下の移動や落下を防止できる。本の版サイズが載置板より大きい場合は、載置板上部に設けた孔部に左右方向に細い板を通して、その板と本の表紙をクリツプすることで固定することができる。
【００２９】
次に、頁抑えは柔軟な線材であるので手で形成が自在であり、また、載置板下端部に回動自在に取り付けているので、本の版サイズ、厚さ、癖等状況に対応して最適の形状に形成し、また、頁抑え先端部と本の頁が接触する効果的な位置、すなわち、頁捲りが容易で、且捲った頁を次の頁と頁抑え先端部の間に容易に収めることができる位置に、又は頁の状況に応じて回動させることができる。
【００３０】
また、載置板の傾斜角度調整は、載置板に対して支持杆を回動自在に取り付けるているので、所望する角度に自在に調整することができる。しかも２箇所で締め付けるので重量が大なる本を載置しても傾斜角度を保持できる。
【００３１】
更に、保持板部と頁抑え、保持板部と頁抑えと受け部と支え部を一体成形可能であり、製造コストを大幅に低減できるようになる。
【００３２】
また、支持杆先端部をテーパー形状に形成することにより、空きびんの利用が可能となつた。更に、空きびんに底板を接着剤で接着したり、吸盤を吸着させて取り付け可能になり、空きびん口部に載置板を取り付け、本を載置し重心が上方に移動しても、底板を設けることにより空きびんの安定的立設を保持できる。
【００３３】
また、載置板にクリツプや外周に凸状部を形成した補助板を取り付け、各クリツプ間や各凸状部間を輪ゴムを掛け渡し頁抑えとして使用ができるようになつた。しかも本の頁上隅部を斜めに抑えることが可能になつたので、頁と輪ゴムが接触する部分を必要最小限度にすることができ、輪ゴムで抑えた頁を捲り、次の頁の輪ゴムと頁の間への収めが容易になつた。
【００３４】
また、書見台をテーブル、机、座卓上に載置して椅子又は床に座して使用する以外に、前記した、空きびんに底板を取り付けて、空きびん立設の安定を保持可能となつたので、多様な仰臥で使用できる。上向きで寝ながら比較的座高の低い空きびんに載置板を取り付けて使用する場合、身体の横側に小型の座卓又は箱を置き、その上に載置して使用する。載置板は前向き又は斜め下向きに回動させて見やすい角度にすることができる。また一升びんのように座高の高い空きびんを使用すれば、そのまま使用することができる。更に載置板が回動可能なものは、本を斜め横向きに載置可能なので、横向きで寝ながら使用することができる。また、空きびんを使用することで、ソファー等に座した状態でも書見台の使用が可能になつた。
【００３５】
また、複数の載置板を着脱自在に組合せ、載置板を拡大して使用可能となり、本の読書以外に、新聞や大型の資料等を見る場合に使用することができる。また、自宅等で学習時、空きびん口部と側部に載置板を取り付けて、狭い机上を効率的に活用し学習効果を向上させることができる。また載置板の両側に補助板を取り付けて、版サイズ大なる本、例えば楽譜を載せることができる。しかも、捲りが容易に両上隅部を輪ゴムを掛け渡して頁を抑え、捲った頁を収める側の頁抑えの輪ゴムは、一部を浮かして頁と輪ゴムの接触部分を最小にして隙間を形成し、片手で頁を捲り且輪ゴムと頁の間に収めることができる。
【発明の効果】
【００３６】
本発明により、きわめて簡単な構造でありながら、載置板に載置した本の落ち着きと落下を防止し、載置板の前後と横方向の傾斜角度を自在に調整することができるようになつた。また本の厚薄、大小に係わらず頁抑えと頁捲りを容易におこなうことができる。また、簡単で容易な操作で多様な座位や仰臥で使用できるようになり、読書以外、新聞閲覧、演奏時の譜面台、学習時の参考書等の資料台と多様な使い方ができる。また、本発明は構造や製造方法を簡単にした上、使用済みの空きびんや輪ゴムを使用できるので、きわめて安価に製造できるものである。
【発明を実施するための最良の形態】
【００３７】
以下、本発明の実施の形態を図１~図１２に基づいて説明する。
【実施例１】
【００３８】
図１は本発明の実施例である書見台の正面図とＡ−Ａ矢視図とＢ−Ｂ矢視図である。この書見台は、載置板１、頁抑え２、支持杆３、受け部４等を有しており、本実施例では頁抑え２として柔軟な線材を用いて載置板１の下方部左右対称に回動自在に取り付けている。また、本実施例では、載置板１は、板状であれば木製平板、金属板、合成樹脂板と材質を限定したものではない。また、載置板１の両側部に凹状部５、上部左右に孔部６を形成している。また、載置板１裏面中央部に取り付けた受け部４に支持杆３を回動自在に取り付けている。
【００３９】
凹状部５と孔部６は、載置する本の版サイズの大小に係わらず、本の表紙を載置板１にクリツプ留めするためのもので、単行本等小型の本は表紙２４と凹状部５をクリツプ２３留めし、普通サイズの本は載置板１の側部と表紙２４をクリツプ２３留めし、載置板１より大なる版サイズ の本の場合、細い板７を孔部６に通して載置板１側部から両側に突設し細い板７と表紙２４をクリツプ２３留めするとよい。
【００４０】
凹状部５と孔部６の形状は特に限定するものではないが、両側の凹状部５の最小の間隔は、平均的な単行本を開いた幅と同じ間隔にするとよい。
【００４１】
頁抑え２は、使用する素材は、鉄線、アルミ線、真鍮線により限定できないが安価な鉄線１．６ミリのものを、両端部を円形状且一方の頁を抑える部分は山状にも形成し、中空の管状材８を介してビス９と蝶ナツト１０で載置板１に回動自在で取り付けている。また、頁抑え２で頁捲りと頁の抑えが効果的である位置は、上下方向は山状の形状を変えて調節し、左右方向は頁抑えを回動させて調節する。
【００４２】
載置板１の裏面中央部に横断面コ字形状の受け部４をビス９と蝶ナツト１０で取り付けている。受け部４の両側部に取付孔と半円形状の取付溝１１を形成している。受け部４に支持杆３を取付孔と取付溝１１でビス９と蝶ナツト１０を螺合して回動自在に取り付けている。
【実施例２】
【００４３】
図２は、本発明の実施例２である書見台の正面図とＣ−Ｃ矢視図とＤ−Ｄ矢視説明図である。この書見台に示しているのは、保持板部１２と頁抑え２を柔軟な合成樹脂板で一体に形成している。使用するには、保持板部１２を手で湾曲状に形成し、本の下端部を載せ、本の下端部前側を頁抑え２で抑える。また、後記するように本の上部側は輪ゴム１４を掛け渡して頁を抑えることができる。また、厚めの本を載せる場合、頁抑え２と載置板１間を大にするため、保持板部１２をより多く曲折し且保持板部１２に形成した各凹部１３間を輪ゴム１４を取り付けて引張し形成するとよい。
【実施例３】
【００４４】
図３は、本発明の実施例３である書見台の正面図とＥ−Ｅ矢視図とＦ−Ｆ矢視図と柔軟な合成樹脂板を型抜きした状態を示す展開図である。載置板１は柔軟な合成樹脂板で材質が低発泡ポリエチレンである。凹状部５、孔部６、保持板部１２、頁抑え２、受け部４、取付溝１１、取付孔１５を型抜き且一体で形成している。保持板部１２と頁抑え２と一体に形成した保持板部１２は載置板１の前側に円弧状に引出して形成し、取付孔１５と取付溝１１を形成した受け部４は、載置板１の後側に引出して形成し、受け部４に支持杆３を回動自在に取り付けている。
【００４５】
載置板１に載置した本の下端部は、４箇所の保持板部１２で支えることができるので、版サイズ大なる本も安定的に載せることができる。また、１行程の型抜きで形成可能であるので、製造コストを低減することができる。
【実施例４】
【００４６】
図４は、本発明の実施例４である書見台の側面図である。載置板１に取り付けた支持杆３の先端部をテーパー形状に形成し空きびん１６口部に取り付けている。テーパー部の中間の外径Ａは、一般に流通している酒、焼酎、ワイン、ウイスキーびん口部の内径に近似した太さで、各空きびん１６口部内径に違いがあつてもテーパー形状を形成しているので、大多数のものに支持杆３を取り付けることができる。また空きびんの底部は木製の底板１７に接着剤で接着して空きびんの立設を保持している。
【実施例５】
【００４７】
図５は、本発明の実施例５である書見台の側面図である。先端部に吸盤を取り付けた複数の支え部１９を底板１７に木ネジ２５で可動可能に取り付けている。支え部１９はＬ字形状を形成し、先端部に吸盤１８頭部を嵌着する取付孔１５を穿設し、下部に溝孔２０を形成している。空きびん１６は各支え部１９の内側に立設し、空きびん１６の側部に吸盤１８を吸着させ、また、支え部１９は溝孔２０を通して木ネジ２５で底板１７に固定して、空きびん１６の立設を保持している。また、使用する空きびん１６の太さの違いは、溝孔２０を通して可動可能に取り付けた支え部１９の木ネジ２５で調整することができる。
【実施例６】
【００４８】
図６は、本発明の実施例６である書見台の側面図と底板を型抜きして吸盤を取り付けた状態を示す拡大展開図である。柔軟な合成樹脂の底板１７を型抜きして、先端部に取付孔１５を穿設した支え部１９を形成している。支え部１９を上方に引き出して円弧状に形成し、各取付孔１５に吸盤１８を内側向きに取り付け、各支え部１９の内側に空きびん１６を立設し、空きびん１６側部に吸盤１８を吸着させて安定的な立設を保持している。
【実施例７】
【００４９】
図７は、本発明の実施例７である載置板の正面図とＧ−Ｇ矢視図である。載置板１は複数の柔軟な合成樹脂板で構成し、上側の載置板１は複数の突起部２６を形成し、下側の載置板１の孔部６と上側の載置板１突起部２６を組合せて載置板１を広く形成したものである。本発明は、新聞閲覧に利用したり、大きな資料等を載置することができる。
【実施例８】
【００５０】
図８は、本発明の実施例８である書見台の正面図である。載置板１中央部に円弧状の取付溝１１を形成し、受け部４を取付孔１５と取付溝１１の２箇所で受け部４に対して載置板１を回動自在にビス９と蝶ナツト１０で取り付けている。本発明は、横向きで寝ながら使用することができる。
【実施例９】
【００５１】
図９は、本発明の実施例９である輪ゴムを利用して頁を抑える状態を示す説明図である。載置板１の下部両隅部に穿設している取付孔１５と載置板１の上端部及び両側部 に取り付けたクリツプ２３に輪ゴム１４を掛け渡して本の頁を抑えることができる。載置する本の版サイズが大小でも活用することができる。また、細い輪ゴム１４を引張して掛け渡すので、活字を隠蔽することはなく頁を抑えることができる。
【実施例１０】
【００５２】
図１０は、本発明の実施例１０である載置板１を上下に取り付けた状態を示す側面図である。下段の載置板１は、載置板１孔部６と支持杆３又は空きびん１６口部に紐で縛着して取り付ける。本発明は狭い机上で同時に複数の参考書等を載置して、学習効果向上を図ることができる。
【実施例１１】
【００５３】
図１１は、本発明の実施例１１である載置板１に補助板２１を取り付けた状態を示す正面図とＨ−Ｈ矢視参考図とＩ−Ｉ矢視図とＪ−Ｊ矢視参考図である。上部内側隅部と下部外側隅部に凸状部２１を形成した補助板２２を載置板１の左右に回動自在に取り付け、夫々の補助板２２上下の凸状部２１間に輪ゴム１４を掛け渡している。また、左側の輪ゴム１４は吸盤１８と組み合わせて、載置板１と吸盤１８と組み合わせた輪ゴム１４の隙間が大になるようにする。本発明は、譜面台として使用でき、大型の楽譜 を載置できる。また、輪ゴム１４は上隅をできるだけ浅く抑え、片手で頁捲りが容易にする。また、捲った頁が片手で他の輪ゴム１４の下に収め易くなつている。
【実施例１２】
【００５４】
図１２は、本発明の実施例１２である輪ゴム１４を取り付けた状態を示す説明図である、載置板１に補助板２２を取り付け、各補助板２２の外側の凸状部２１と載置板１下部の型抜き部を輪ゴム１４を掛け渡して頁抑え２としたものである。載置した本の版サイズにより、型抜き部に取り付けた輪ゴム１４は矢印に示すように、左右に調整し、凸状部２１は輪ゴム１４を掛ける位置を調整して、本の両下隅部をできるだけ浅く頁を抑えることができる。
【図面の簡単な説明】
【００５５】
【図１】本発明の実施例１である書見台の正面図とＡ−Ａ矢視図とＢ−Ｂ矢視図
【図２】実施例２である書見台の正面図とＣ−Ｃ矢視図とＤ−Ｄ矢視説明図
【図３】実施例３である書見台の正面図とＥ−Ｅ矢視図とＦ−Ｆ矢視図と展開図
【図４】実施例４である書見台の側面図
【図５】実施例５である書見台の側面図
【図６】実施例６である書見台の側面図と拡大展開図
【図７】実施例７である載置板の正面図とＧ−Ｇ矢視図
【図８】実施例８である書見台の正面図
【図９】実施例９である輪ゴムを利用して頁を抑える状態を示す説明図
【図１０】実施例１０である載置板を上下に取り付けた状態を示す側面図
【図１１】実施例１１である載置板に補助板を取り付けた状態を示す正面図とＨ−                Ｈ矢視参考図とＩ−Ｉ矢視図とＪ−Ｊ矢視図
【図１２】実施例１２である輪ゴムをとりつけた状態を示す説明図
【符号の説明】
【００５６】
１  載置板     ２  頁抑え     ３  支持杆     ４  受け部     ５  凹状部
６  孔部      ８  管状      １１  取付溝    １２  保持板部  １３  凹部        １４  輪ゴム  １６  空きびん  １７  底板      １８  吸盤      １９  支え部      ２０  溝孔    ２１  凸状部    ２２  補助板     ２３  クリツプ  ２６  突起部
【図１】
2008149109.tif 000003
【図２】
2008149109.tif 000004
【図３】
2008149109.tif 000005
【図４】
2008149109.tif 000006
【図５】
2008149109.tif 000007
【図６】
2008149109.tif 000008
【図７】
2008149109.tif 000009
【図８】
2008149109.tif 000010
【図９】
2008149109.tif 000011
【図１０】
2008149109.tif 000012
【図１１】
2008149109.tif 000013
【図１２】
2008149109.tif 000014